(57)【要約】      （修正有）【課題】収納する基板に合わせてカセットの幅を調整する必要が無い基板用カセットを提供する。【解決手段】左右に配設され、上下方向に所定間隔毎に基板の載支用の側部棚片７を内側に突設した複数の支持体３を、上枠体１と下枠体２との間に連結して直方体状の箱型構造としてなるとともに、幅が異なる少なくとも２種類の基板の収容が可能な基板用カセットであって、側部棚片７の先端部には、基板の左右の側部を載支する側部載支部を設けると共に、側部棚片７の基端部には、第１の基板の左端または右端を当止可能な外側サイドストッパを設け、側部棚片７の途中部には、第１の基板より幅が狭い第２の基板の左端または右端を当止可能な内側サイドストッパを設けてなる。【選択図】    図１
2004296752.tif 000002
【特許請求の範囲】
【請求項１】
左右に配設され、上下方向に所定間隔毎に基板の載支用の側部棚片を内側に突設した複数の支持体を、上枠体と下枠体との間に連結して直方体状の箱型構造としてなるとともに、幅が異なる少なくとも２種類の前記基板の収容が可能な基板用カセットであって、
前記側部棚片の先端部には、前記基板の左右の側部を載支する側部載支部を設けると共に、前記側部棚片の基端部には、第１の基板の左端または右端を当止可能な外側サイドストッパを設け、前記側部棚片の途中部には、前記第１の基板より幅が狭い第２の基板の左端または右端を当止可能な内側サイドストッパを設けてなることを特徴とする基板用カセット。
【請求項２】
同一の前記側部棚片に、幅が異なる複数の前記第２の基板のそれぞれに対応する前記内側サイドストッパを備えてなる請求項１記載の基板用カセット。
【請求項３】
前記基板の奥行寸法に合わせて付設される着脱可能な中央部支持体を、収容される前記基板の後端辺の位置に立設して、前記上枠体と前記下枠体とに連結するとともに、前記中央部支持体には前記所定間隔毎に前記基板の載支用の後部棚片を前方に突設し、該後部棚片の先端部には前記基板の後部を載支する後部載支部を設けてなる請求項１または２記載の基板用カセット。
【請求項４】
前記後部載支部の上端の位置が、該後部載支部に載支される前記基板を同時に載支する前記側部棚片に設けられた前記側部載支部の上端の位置より高くしてなる請求項３記載の基板用カセット。
【請求項５】
前記内側サイドストッパの上端の高さを、前記側部載支部の上端の高さと等しくしてなる請求項１から４のいずれか１項に記載の基板用カセット。
【請求項６】
前記内側サイドストッパの前記上端より低い位置に設けた前記第２の基板の左端または右端を保持する保持部と、該保持部から立ち上がる規制部とを前記内側サイドストッパに備えるとともに、前記後部棚片の高さを、前記第２の基板の前記左端及び前記右端が前記側部載支部よりも下がるように設定してなる請求項１から５のいずれか１項に記載の基板用カセット。
【請求項７】
前記後部載支部が前記基板の略中心部を載支するように、前記後部棚片の長さを設定してなる請求項１から６のいずれか１項に記載の基板用カセット。
【請求項８】
前記後部棚片の基端部に、前記基板の後端を当止する後部棚片バックストッパを設けてなる請求項１から７のいずれか１項に記載の基板用カセット。
【請求項９】
前記側部棚片に、前記基板の後端を当止するとともに上下方向に可撓性を有する側部棚片バックストッパを備えてなる請求項１から８のいずれか１項に記載の基板用カセット。
【請求項１０】
最前部の左右の前記支持体には、前記側部棚片に替えて、前記基板の前端を当止するフロントストッパを備えたフロント側部棚片を突設してなる請求項１から９のいずれか１項に記載の基板用カセット。
【発明の詳細な説明】
【０００１】
【発明の属する技術分野】
この発明は、基板用カセットに係わり、更に詳しくは、大きさの異なるディスプレイ用基板を多段に収容することが可能な基板用カセットに関するものである。
【０００２】
【従来の技術】
近年、ディスプレイの大型化に伴い、カセットに収容する基板の寸法も大型化してきている。しかし、中型や小型のディスプレイ用の基板も依然使用されており、１台のカセットに大きさの異なる基板が収納可能であれば、カセットの効率的な使用ができる。そこで従来、特許文献１や特許文献２に記載されているような機構をカセットに備えることにより、これを実現している。特許文献１に記載されたカセットは、棚片を離間して上下に配設して保持溝を形成した支持部材を設けた一対の枠体を並行配設し、枠体同士を連結したスライドレールの伸縮により、収納される基板の幅に応じて、カセット幅を調整可能としたものである。また、特許文献２に記載されたカセットは、上下方向に所定間隔毎に基板を載支する棚片を突設した複数の支持体を上枠体と下枠体との間に架設したカセットにおいて、支持体の上枠体および下枠体への取付位置を、収納される基板の幅に応じて、カセットの幅方向に移動可能とする機構を設けたものである。
【０００３】
【特許文献１】
特開平１０−３２２０５６号公報
【特許文献２】
特開平１１−１７１２８７号公報
【０００４】
【発明が解決しようとする課題】
しかし、特許文献１に記載されたカセットでは、収納する基板に合わせて、上下四箇所のスライドレールの伸縮を調整する必要性があり、手間を要する。また、特許文献２に記載されたカセットでは、支持体の上枠体及び下枠体への上下四箇所の取付位置を、収納する基板の幅に応じて、カセットの幅方向に移動調整する必要があり、特許文献１に記載されたカセット同様、手間を要する。即ち、上記両カセットとも、収納される基板の幅に応じて、カセットの幅を調整するという、かなり手間を要する調整が必要であるという問題があった。
そこでこの発明は、このような問題を解決するためになされたものであって、収納する基板に合わせてカセットの幅を調整する必要が無い基板用カセットを提供しようとするものである。
【０００５】
【課題を解決するための手段】
本発明の基板用カセットは、左右に配設され、上下方向に所定間隔毎に基板の載支用の側部棚片を内側に突設した複数の支持体を、上枠体と下枠体との間に連結して直方体状の箱型構造としてなるとともに、幅が異なる少なくとも２種類の前記基板の収容が可能な基板用カセットであって、前記側部棚片の先端部には、前記基板の左右の側部を載支する側部載支部を設けると共に、前記側部棚片の基端部には、第１の基板の左端または右端を当止可能な外側サイドストッパを設け、前記側部棚片の途中部には、前記第１の基板より幅が狭い第２の基板の左端または右端を当止可能な内側サイドストッパを設けてなることを特徴としている。
上記の第１の基板は、通常、この基板用カセットに収容可能な最大幅を有する基板である。
【０００６】
上記の基板用カセットにおいて、同一の前記側部棚片に、幅が異なる複数の前記第２の基板のそれぞれに対応する前記内側サイドストッパを備えるようにしてもよい。
【０００７】
また、上記の基板用カセットにおいて、前記基板の奥行寸法に合わせて付設される着脱可能な中央部支持体を、収容される前記基板の後端辺の位置に立設して、前記上枠体と前記下枠体とに連結するとともに、前記中央部支持体には前記所定間隔毎に前記基板の載支用の後部棚片を前方に突設し、該後部棚片の先端部には前記基板の後部を載支する後部載支部を設けるのが好ましい。
【０００８】
また、上記の基板用カセットにおいて、前記後部載支部の上端の位置が、該後部載支部に載支される前記基板を同時に載支する前記側部棚片に設けられた前記側部載支部の上端の位置より高くするのが好ましい。
【０００９】
また、上記の基板用カセットにおいて、前記内側サイドストッパの上端の高さを、前記側部載支部の上端の高さと等しくするのが好ましい。
【００１０】
また、上記の基板用カセットにおいて、前記内側サイドストッパの前記上端より低い位置に設けた前記第２の基板の左端または右端を保持する保持部と、該保持部から立ち上がる規制部とを前記内側サイドストッパに備えるとともに、前記後部棚片の高さを、前記第２の基板の前記左端及び前記右端が前記側部載支部よりも下がるように設定するのが好ましい。
【００１１】
また、上記の基板用カセットにおいて、前記後部載支部が前記基板の略中心部を載支するように、前記後部棚片の長さを設定してもよい。
【００１２】
また、上記の基板用カセットにおいて、前記後部棚片の基端部に、前記基板の後端を当止する後部棚片バックストッパを設けるようにしてもよい。
【００１３】
また、上記の基板用カセットにおいて、前記側部棚片に、前記基板の後端を当止するとともに上下方向に可撓性を有する側部棚片バックストッパを備えるようにしてもよい。
【００１４】
また、上記の基板用カセットにおいて、最前部の左右の前記支持体には、前記側部棚片に替えて、前記基板の前端を当止するフロントストッパを備えたフロント側部棚片を突設するようにしてもよい。
【００１５】
【発明の実施の形態】
次に、本発明の実施形態につき、図面に基づき詳しく説明する。図１は、本実施例の基板用カセットの外観を示した斜視図、図２は、図１において、着脱可能な一部の部材（中央部支持体）をカセットから取り外した斜視図、そして、図３は、本実施例の基板用カセットの上枠体を省略した状態の平面図である。本実施例の基板用カセットは、図１、２及び３に示すように、直方体状の箱型構造をしており、上枠体縦杆１ａと上枠体横杆１ｂとでなる長方形状の上枠体１と、下枠体縦杆２ａと下枠体横杆２ｂとでなる下枠体２との間に、１２本の側部支持体３と、２本の後部支持体４及び、２本の角部支持体５を連結して構成している。ここで、側部支持体３、後部支持体４及び角部支持体５が前述した支持体に相当する。
【００１６】
上枠体１は、上枠体縦杆１ａと上枠体横杆１ｂとでなる四角形状枠と、この四角形状枠の枠面を横方向に２分する上枠体縦桟１ｃと、この上枠体縦桟１ｃと交差し且つ上記の上枠体縦杆１ａと上枠体横杆１ｂとでなる四角形状枠の枠面を縦方向に２分する上枠体横桟１ｄとで構成される田の字形枠体で構成されている。下枠体２は、下枠体縦杆２ａと下枠体横杆２ｂとで形成される四角形状枠と、この四角形状枠の枠面を横方向に２分する下枠体縦桟２ｃと、この下枠体縦桟２ｃと交差し且つ上記の四角形状枠の枠面を縦方向に２分する下枠体横桟２ｄとで構成される田の字形枠体でなるとともに、下枠体縦桟２ｃと下枠体横桟２ｄとの交点から外方向へ所定距離離れた下枠体縦桟２ｃ上の地点から、下枠体縦杆２ａと外方向側にある下枠体横杆２ｂとで形成される角から内方向へ上記と同じ所定距離離れた下枠体縦杆２ａ上の地点へ到る下枠体斜桟２ｅを備えている。
また、左右の下枠体縦杆２ａ上には、側部支持体３が６本づつ、それぞれ立設され、２本の後部支持体４が下枠体２の奥の下枠体横杆２ｂ上に立設され、そして、２本の角部支持体５が下枠体縦杆２ａと手前の下枠体横杆２ｂとがなす角の上に立設される。この基板用カセットには、その前方から挿入される基板を支えるため、側部支持体３には、複数の側部棚片７が、後部支持体４には、複数の最後部棚片８が、そして、角部支持体５には、複数の前側部棚片１０がそれぞれ内側に向かって、上下方向に所定間隔毎に突設されている。
【００１７】
本実施例の基板用カセットには、大きさの異なる大型基板、中型基板、及び、小型基板を収容することができる。大型基板は、幅寸法と奥行寸法とがともに収納可能な最大寸法であり、中型基板は、幅寸法が収納可能な最大寸法で奥行寸法が収納可能な最大寸法より小さく、小型基板は幅寸法と奥行寸法とがともに収納可能な最大寸法より小さい。具体的には、図３の２点差線で示した部分が基板の形状を示しており、大型基板としては、Ａの１種類、中型基板としては、Ｂ、Ｃ、Ｄ及びＥの４種類、そして、小型基板としては、Ｆの１種類の合計６種類である。
大型基板Ａはその後端が最後部棚片８で載支される。中型基板の後端寄りの左右の側部は、中型基板Ｂが一番奥の側部棚片７で載支され、中型基板Ｃは奥から２番目の側部棚片７で載支され、中型基板Ｄは奥から３番目の側部棚片７で載支され、そして、中型基板Ｅは奥から４番目の側部棚片７で載支される。即ち、奥行寸法の関係は、Ａ＞Ｂ＞Ｃ＞Ｄ＞Ｅである。また、小型基板Ｆはその後端寄りの左右の側部が奥から３番目の側部棚片７で載支される。また、小型基板Ｆの奥行寸法の関係は、Ｄ＞Ｆ＞Ｅである。
ここで、幅寸法が収納可能な最大寸法であるＡ、Ｂ、Ｃ、Ｄ及びＥの基板が、前述した第１の基板に相当し、これらの基板よりも幅寸法が小さいＦの基板が、前述した第２の基板に相当する。
【００１８】
側部支持体３に突設された側部棚片７は、図４（ａ）、（ｂ）及び図５に示すように、金属製の側部支持ピン７ａと、この先端部に備えられた側部載支部７ｂ、側部支持ピン７ａの基端部に備えられた外側サイドストッパ７ｃ、及び、側部支持ピン７ａの途中部に備えられた内側サイドストッパ７ｄとで構成される。側部載支部７ｂは上端面が水平面であり、大型基板Ａ、中型基板Ｂ（Ｃ、Ｄ、Ｅ）または小型基板Ｆの左右の側部を載支するのに用いられる。外側サイドストッパ７ｃは、大型基板Ａまたは中型基板Ｂ（Ｃ、Ｄ、Ｅ）の左端または右端を当止して載支するのに用いられ、上面が水平面の外側サイドストッパ保持部７ｃ１と、この外側サイドストッパ保持部７ｃ１から立ち上がる外側サイドストッパ規制部７ｃ２とで構成される。外側サイドストッパ規制部７ｃ２は、大型基板または中型基板の左端または右端の当止が容易なように、上方斜め外側に緩やかに傾斜している。内側サイドストッパ７ｄは、小型基板Ｆの左端または右端を当止して載支するのに用いられ、上面が水平面の内側サイドストッパ保持部７ｄ２と、この内側サイドストッパ保持部７ｄ２から立ち上がる内側サイドストッパ規制部７ｄ３とで構成される。また、側部棚片７は、図４（ｂ）に示すように、内側サイドストッパ規制部７ｄ３から連なる内側サイドストッパ上端部７ｄ１の上面の高さは、側部載支部７ｂの上端面の高さ、及び、外側サイドストッパ保持部７ｃ１の上面の高さと等しくなるようにするとともに、この高さよりも、内側サイドストッパ保持部７ｄ２の上面の高さが低くなるように各部が構成される。
【００１９】
また、角部支持体５には、上記の側部棚片７を突設してもよいが、本実施例では、側部棚片７に替えて、図６に示す、金属製の側部支持ピン１０ａと、この先端部に備えられたフロントストッパ１０ｂとで構成されるフロント側部棚片１０を突設している。このフロント側部棚片１０に備えられているフロントストッパ１０ｂは、側部棚片７に備えられた側部載支部７ｂよりも高さを高くしており、これにより、図７に示すように、収納された基板が前方に飛び出すのを防止する機能を有している。フロントストッパとしては、図１３に示すような段部を有するフロントストッパ１０ｃを用いてもよい。
【００２０】
上記の本実施例の基板用カセットに、幅寸法と奥行寸法とがともに収納可能な最大寸法よりも小さい小型基板Ｆを収容するために、図８に示すように、着脱可能な中央部支持体６を上記の基板用カセットの下枠体縦桟２ｃ上に立設して取り付ける。即ち、下枠体２の下枠体縦桟２ｃの上面上の位置で、上記の基板用カセットに収容された小型基板Ｆの後端辺の中点付近の位置に相当する位置に、予めＬ形取付片６ｂが溶接されている。このＬ形取付片６ｂに中央部支持体６の下端部が接するように、中央部支持体６を下枠体縦桟２ｃ上に立設するとともに、中央部支持体６を、取付ボルト６ｄと取付ナット６ｅにより、中央部支持体６の下端の中央部支持体取付孔６ａとＬ形取付片６ｂのＬ形取付片取付孔６ｃとを用いて、Ｌ形取付片６ｂに固定する。このＬ形取付片６ｂと同様の取付片が上枠体縦杆１ａの下面にも溶接されており、この取付片に中央部支持体６の上端を上記と同様にして固定する。
【００２１】
中央部支持体６には、小型基板Ｆの載支用の後部棚片９が、側部支持体３における側部棚片７の突設間隔と同じ間隔で、前方に向かって突設されている。この後部棚片９は、図８に示すように、金属製の後部支持ピン９ａと、この先端部に備えられた後部載支部９ｂ、及び、後部支持ピン９ａの基端部に備えられた後部棚片バックストッパ９ｃとで構成されている。後部棚片バックストッパ９ｃは、小型基板Ｆの後端を当止して載支するので、小型基板Ｆを収納中に前後方向に移動するようなことがなく安定に収納することができる。後部載支部９ｂは小型基板Ｆを載支するのに用いられ、その上面は水平面である。また、後部支持ピン９ａの長さは、後部載支部９ｂが小型基板Ｆの中心部付近を載支するように、小型基板Ｆの中心部付近に届く長さとなっている。このため、後部載支部９ｂにより小型基板Ｆを安定に載支することができる。
【００２２】
図９は、側部棚片７と後部棚片９とにより、小型基板Ｆが載支される状態を示しており、図１０は側部棚片７と後部棚片９との関係を示している。前述したように、小型基板Ｆの左右の側部は側部棚片７の側部載支部７ｂによって載支されるとともに、小型基板Ｆの左端及び右端は側部棚片７の内側サイドストッパ７ｄによって、当止されて載置される。また、図９及び１０に示すように、後部載支部９ｂの上面の高さが、後部載支部９ｂが載支するのと同じ小型基板Ｆの側部を載支する側部棚片７の側部載支部７ｂの上面の高さよりも高い位置となるように、後部棚片９が中央部支持体６に取り付けられており、図１０の側部載支部７ｂと後部載支部９ｂとの高さの差ｌは、小型基板Ｆの左端及び右端が側部載支部７ｂの上端面よりも下がるように設定される。また、この小型基板Ｆの左端または右端が当止されて載支される内側サイドストッパ保持部７ｄ２の上面の高さは、前述したように、側部載支部７ｂの上端面の高さよりも低く設定されており、収容した小型基板Ｆは、図９に示すように上方に緩やかに膨らむように撓った状態で、その左端及び右端が内側サイドストッパ７ｄによって当止されて載支されるので、小型基板Ｆの幅寸法が、本実施例の基板用カセットに収納可能な最大寸法より小さいにもかかわらず、小型基板Ｆが本実施例の基板用カセット内で横方向に移動することを防止できるとともに、小型基板Ｆを安定な状態で収納することができる。
【００２３】
上記の本実施例の基板用カセットでは、小型基板としてはＦの１種類のみであるが、これには限られず、寸法の異なる複数の小型基板を収納するようにすることができ、その場合は、内側サイドストッパ７ｄを、その小型基板の幅に合わせて側部棚片７の側部支持ピン７ａの最適な位置に設けるとともに、中央部支持体６の取付位置や中央部支持体６に突設する後部棚片９の長さ等を、その小型基板の奥行に合わせて最適なように設定すればよい。
また、同一の側部棚片７の側部支持ピン７ａに、収納される幅寸法の異なる複数の小型基板のそれぞれに対応する内側サイドストッパ７ｄのいくつか或いは全てを備え、これらの幅寸法の異なる複数の小型基板のそれぞれのいずれでも、その同一の側部棚片７に収納可能とすることもできる。このようにすることにより、１台の基板用カセットを幅寸法の異なる基板の収容に用いることができ、基板用カセットの運用をフレキシブルに行なうことができる。
【００２４】
上記の本実施例の基板用カセットに、大型基板Ａまたは、中型基板Ｂ、Ｃ、Ｄ若しくはＥの何れかを収納する場合は、小型基板Ｆの収納用に設置する中央部支持体６は不要であり、大型基板Ａと、収納する中型基板Ｂ、Ｃ、Ｄ若しくはＥの場合は、その奥行寸法によっては、取り外す必要がある。図１１は、上記の本実施例の基板用カセットに、幅寸法が収納可能な最大寸法である大型基板Ａまたは中型基板Ｂ、Ｃ、Ｄ或いはＥの何れかを収容した状態を示している。大型基板Ａまたは中型基板Ｂ、Ｃ、Ｄ或いはＥは、上述したように、その左端または右端が外側サイドストッパ７ｃに当止されて載支され、その左右の側部が側部載支部７ｂに載支されて、図１１に示すように、ウエーブ状に撓った状態で保持される。
この場合、上述したように、側部棚片７の内側サイドストッパ上端部７ｄ１の上端の高さを、図４（ｂ）に示すように、側部載支部７ｂの上端の高さと等しくしているので、収納された基板が、内側サイドストッパ上端部７ｄ１の上端に触れる等して、バランスを崩すことは無く、大型基板や中型基板を安定に収納することができる。
【００２５】
上記の本実施例の基板用カセットによれば、側部支持体３に突設された側部棚片７に、側部載支部７ｂと外側サイドストッパ７ｃ、及び、内側サイドストッパ７ｄを設けており、収納される基板の全ての左右の側部を側部載支部７ｂにより載支するとともに、幅寸法が収納可能な最大寸法の大型基板及び中型基板の左端または右端を、外側サイドストッパ７ｃにより当止して載支し、幅寸法が収納可能な最大寸法よりも小さい小型基板の左端または右端を、内側サイドストッパ７ｄにより当止して載支するので、収納する基板に合わせてカセットの幅を調整する必要が無い基板用カセットを提供することができる。
【００２６】
上記の本実施例の基板用カセットにおいて、この基板用カセットを中型基板Ｂ、Ｃ、ＤまたはＥ、若しくは小型基板Ｆの収容に用いる場合に、側部支持体３に突設された側部棚片７に、図１２（ａ）に示すような、側部棚片バックストッパ７ｅを設けてもよい。そうすることにより、図１２（ｂ）に示すように、側部棚片バックストッパ７ｅが中型基板若しくは小型基板の後端を当止するので、中型基板を収納中に後方向に移動するようなことがなく安定に収納することができる。この場合、側部棚片バックストッパ７ｅを可撓性を有する樹脂等で製作することにより、側部棚片バックストッパ７ｅの上下方向に可撓性を持たせるのが好ましく、こうすることにより、次の利点がある。即ち、奥行寸法の長い基板を収容する場合、図１２（ｂ）に示すように、基板の後端を当止する側部棚片バックストッパ７ｅを有する側部支持体３よりも手前の側部支持体３の側部棚片バックストッパ７ｅの後端の上端が、その上を覆う基板の重力で下方に押し付けられると、側部棚片バックストッパ７ｅの後端が下方に下がるように側部棚片バックストッパ７ｅが撓むので、その上を覆う基板に無理な力がかかるのを防ぐことができる。
【００２７】
また、上記の本実施例の基板用カセットを中型基板Ｂ、Ｃ、Ｄ若しくはＥの収容に用いる場合に、上記の小型基板Ｆの収納に用いる中央部支持体６を併用するようにしてもよい。このようにすることにより、中型基板Ｂ、Ｃ、Ｄ若しくはＥの中心部付近を、中央部支持体６に突設された後部棚片９の後部載支部９ｂが載支するので、中型基板を安定に収納することができる。
【００２８】
【発明の効果】
請求項１記載の基板用カセットによれば、側部支持体に突設された側部棚片に、側部載支部と外側サイドストッパ、及び、内側サイドストッパを設けており、第１の基板及び、第１の基板より幅が狭い第２の基板を、共にその左右の側部を載支するするとともに、その左端及び右端を当止することができるので、収納する基板に合わせてカセットの幅を調整する必要が無い基板用カセットを提供することができる。
【００２９】
請求項２記載の基板用カセットによれば、同一の側部棚片に、幅が異なる複数の第２の基板のそれぞれに対応する内側サイドストッパを備えているので、幅寸法の異なる複数の第２の基板のそれぞれを、その同一の側部棚片に収納可能とすることができ、基板用カセットの運用をフレキシブルに行なうことができる。
【００３０】
請求項３記載の基板用カセットによれば、基板の奥行寸法に合わせて付設される着脱可能な中央部支持体を、収容される基板の後端辺の位置に立設すると共に、中央部支持体は、基板の後部を載支する後部載支部を備えた後部棚片を前方に突設しているので、第１の基板より幅が狭い第２の基板も収容して保持することができる。
【００３１】
請求項４記載の基板用カセットによれば、後部載支部の上端の位置が、該後部載支部に載支される基板を同時に載支する側部棚片に設けられた側部載支部の上端の位置より高くしているので、第１の基板より幅が狭い第２の基板を、その中央部分が上方に緩やかに膨らむように撓った状態で収容保持することができ、第１の基板より幅が狭い第２の基板を安定に収納することができる。
【００３２】
請求項５記載の基板用カセットによれば、内側サイドストッパの上端の高さを、側部載支部の上端の高さと等しくしているので、第１の基板が、内側サイドストッパの上端に触れる等して、バランスを崩すことが無く、第１の基板を安定に収納することができる。
【００３３】
請求項６記載の基板用カセットによれば、内側サイドストッパの上端より低い位置に設けた第２の基板の左端または右端を保持する保持部と、該保持部から立ち上がる規制部とを内側サイドストッパに備えるとともに、後部棚片の高さを、第２の基板の左端及び右端が側部載支部よりも下がるように設定しているので、第１の基板より幅が狭い第２の基板を収容した際に、基板用カセット内で横方向に移動することを防止することができる。
【００３４】
請求項７記載の基板用カセットによれば、中央部支持体の後部棚片に備えられた後部載支部が基板の略中心部を載支するように、後部棚片の長さを設定しているので、収容した基板を安定に載支することができる。
【００３５】
請求項８記載の基板用カセットによれば、中央部支持体の後部棚片の基端部に、基板の後端を当止する後部棚片バックストッパを設けているので、基板を収納中に後方向に移動するようなことがなく安定に収納することができる。
【００３６】
請求項９記載の基板用カセットによれば、側部棚片に、基板の後端を当止する側部棚片バックストッパを備えているので、請求項８記載の基板用カセット同様、基板を収納中に後方向に移動するようなことがなく安定に収納することができる。
【００３７】
請求項１０記載の基板用カセットによれば、最前部の左右の支持体には、側部棚片に替えて、基板の前端を当止するフロントストッパを備えたフロント側部棚片を突設しているので、基板を収納中に前方向に移動するようなことがなく安定に収納することができる。
【図面の簡単な説明】
【図１】本実施例の基板用カセットの外観を示した斜視図である。
【図２】本実施例の基板用カセットの着脱可能な一部の部材をカセットから取り外した斜視図である。
【図３】本実施例の基板用カセットの上枠体を省略した状態の平面図である。
【図４】（ａ）は本実施例の側部支持体の一部の説明図、（ｂ）は側部支持体に突設された側部棚片の説明図である。
【図５】本実施例の基板用カセットの側部支持体に突設された側部棚片の斜視図である。
【図６】本実施例の基板用カセットの角部支持体に突設されたフロント側部棚片の斜視図である。
【図７】本実施例の基板用カセットの角部支持体に突設されたフロント側部棚片の説明図である。
【図８】本実施例の基板用カセットの中央部支持体及びその取り付け方法を示した説明図である。
【図９】本実施例の基板用カセットに小型基板が収容される状態を示した説明図である。
【図１０】本実施例の基板用カセットの側部棚片と後部棚片との関係を示した説明図である。
【図１１】本実施例の基板用カセットに大型基板または中型基板が収容される状態を示した説明図である。
【図１２】（ａ）は本実施例の基板用カセットの側部バックストッパを備えた側部棚片の斜視図、（ｂ）はその説明図である。
【図１３】本実施例の基板用カセットの角部支持体に立設されたフロント側部棚片の他の例の斜視図である。
【符号の説明】
１    上枠体                                １ａ    上枠体縦杆
１ｂ    上枠体横杆                    １ｃ    上枠体縦桟
１ｄ    上枠体横桟                    ２    下枠体
２ａ    下枠体縦杆                    ２ｂ    下枠体横杆
２ｃ    下枠体縦桟                    ２ｄ    下枠体横桟
２ｅ    下枠体斜桟                    ３    側部支持体
４    後部支持体                        ５    角部支持体
６    中央部支持体                    ６ａ    中央部支持体取付孔
６ｂ    Ｌ形取付片                    ６ｃ    Ｌ形取付片取付孔
６ｄ    取付ボルト                    ６ｅ    取付ナット
７    側部棚片                            ７ａ    側部支持ピン
７ｂ    側部載支部                    ７ｃ    外側サイドストッパ
７ｃ１    外側サイドストッパ保持部
７ｃ２    外側サイドストッパ規制部
７ｄ    内側サイドストッパ
７ｄ１    内側サイドストッパ上端部
７ｄ２    内側サイドストッパ保持部
７ｄ３    内側サイドストッパ規制部
７ｅ    側部棚片バックストッパ
８    最後部棚片                        ９    後部棚片
９ａ    後部支持ピン                ９ｂ    後部載支部
９ｃ    後部棚片バックストッパ
１０    フロント側部棚片
１０ａ    側部支持ピン
１０ｂ    フロントストッパ
１０ｃ    フロントストッパ
【図１】
2004296752.tif 000003
【図２】
2004296752.tif 000004
【図３】
2004296752.tif 000005
【図４】
2004296752.tif 000006
【図５】
2004296752.tif 000007
【図６】
2004296752.tif 000008
【図７】
2004296752.tif 000009
【図８】
2004296752.tif 000010
【図９】
2004296752.tif 000011
【図１０】
2004296752.tif 000012
【図１１】
2004296752.tif 000013
【図１２】
2004296752.tif 000014
【図１３】
2004296752.tif 000015